(57)【要約】【課題】回線断が生じた場合にも通話及び通話についてのその他の操作を正常に行うことができる電話卓を提供する。【解決手段】電話回線の回線断を検知して回線断検知信号を生成し、また、選択入力に応じて電話機部のいずれか１を選択する選択信号を生成し、当該回線断検知信号と当該選択信号とに応じて、少なくとも２つのファンクションキーのうちの１を選択して有効とする。【選択図】図１
2010206240.tif 000002
【特許請求の範囲】
【請求項１】
操作入力に応じて通話関連指令を各々が生成する少なくとも２つの指令生成部と、前記指令生成部の各々に対応し前記通話関連指令に応じた電話機能を電話回線を介して奏する少なくとも２つの電話機部と、を含む電話卓であって、
前記電話回線の回線断を検知して回線毎の回線断検知信号を生成する回線断検知部と、
選択入力に応じて前記電話機部のいずれか１を選択する選択信号を生成する選択信号生成部と、
前記回線断検知信号と前記選択信号とに応じて前記指令生成部の１を選択してこれを有効とする選択部と、を含むことを特徴とする電話卓。
【請求項２】
前記選択部は、前記指令生成部の選択に係り、前記回線断検知信号を前記選択信号に対して優先することを特徴とする請求項１に記載の電話卓。
【請求項３】
前記選択部は、前記電話機部のうちの前記回線断検知信号に対応する１と、前記電話機部のうちの前記選択信号に対応する１とが一致した場合に、前記指令生成部のうちの当該１の電話機部に対応する１を無効にすると共に、当該１の電話機部とは別の電話機部に対応する１の指令生成部を選択して有効とすることを特徴とする請求項１に記載の電話卓。
【請求項４】
前記回線断検知部は、前記電話回線への電気信号の供給の有無に基づいて前記回線断を検知することを特徴とする請求項１に記載の電話卓。
【請求項５】
前記回線断検知部は、前記電話回線を介して断続的に到来すべき監視パケットが所定期間に亘って到来しなかった場合に前記回線断を検知したものとすることを特徴とする請求項１に記載の電話卓。
【請求項６】
前記回線断検知信号に応じて前記回線断を告知する回線断告知部を更に含むことを特徴とする請求項１に記載の電話卓。
【請求項７】
前記回線断告知部は、点灯及び点滅の少なくともいずれかによって前記回線断を告知する警告灯であることを特徴とする請求項６に記載の電話卓。
【請求項８】
電話番号入力を受け入れて電話番号信号を生成し前記選択部によって有効とされた１の指令生成部に対応する電話機部へ前記電話番号信号を供給するダイヤルキー部を更に含むことを特徴とする請求項１に記載の電話卓。
【請求項９】
前記電話番号信号が表す電話番号を表示するダイヤルモニターを更に含むことを特徴とする請求項８に記載の電話卓。
【請求項１０】
前記選択部によって有効とされた１の指令生成部に対応する電話機部が接続している電話回線を選択するスイッチ部と、
宛先選択入力に応じて宛先電話番号データを生成する操作パネル部と、
前記スイッチ部により選択された電話回線を介して前記宛先電話番号データを送信するデータ送信部と、を更に含むことを特徴とする請求項１に記載の電話卓。
【発明の詳細な説明】
【技術分野】
【０００１】
本発明は、複数の電話機の機能を備え、主に指令電話システムにおいて用いられる電話卓に関する。
【背景技術】
【０００２】
例えば警察、消防、運輸などの業務における指令電話システムにおいて用いられる、いわゆる電話卓が知られている。電話卓は電話回線を介してＰＢＸ(Private Branch eXchange：構内交換機)との間で発着信処理を行い、所望の通話先と呼接続して指令を発するためのデジタル多機能電話機の機能を備えた操作卓である。例えば特許文献1には、２台の電話機と当該電話機にそれぞれ対応するハンドセットとを備えた電話卓が開示されている。当該電話卓によれば、ハンドセットをオフフックすることにより、そのハンドセットに対応するファンクションキー及び電話機の機能有効範囲を切り替え制御することができるとしている。
【先行技術文献】
【特許文献】
【０００３】
【特許文献１】特開２００７−１３５０５１号公報
【発明の概要】
【発明が解決しようとする課題】
【０００４】
しかしながら、特許文献1に開示されている電話卓によれば、２台の電話機のうちの一方が接続している電話回線に回線断が生じた場合であっても、ユーザーはそのことに気づかず、その回線断が生じた側の電話機を使用して指令操作を継続してしまうという問題点があった。この場合には当然ながら、通話及び電話についてのその他の操作を正常に行うことができない。
【０００５】
本発明は上記した如き問題点に鑑みてなされたものであって、回線断が生じた場合にも通話及び通話についてのその他の操作を正常に行うことができる電話卓を提供することを目的とする。
【課題を解決するための手段】
【０００６】
本発明による電話卓は、操作入力に応じて通話関連指令を各々が生成する少なくとも２つの指令生成部と、前記指令生成部の各々に対応し前記通話関連指令に応じた電話機能を電話回線を介して奏する少なくとも２つの電話機部と、を含む電話卓であって、前記電話回線の回線断を検知して回線毎の回線断検知信号を生成する回線断検知部と、選択入力に応じて前記電話機部のいずれか１を選択する選択信号を生成する選択信号生成部と、前記回線断検知信号と前記選択信号とに応じて前記指令生成部の１を選択してこれを有効とする選択部と、を含むことを特徴とする。
【発明の効果】
【０００７】
本発明による電話卓によれば、回線断が生じた場合にも通話及び通話関連操作を正常に行うことができる。
【図面の簡単な説明】
【０００８】
【図１】第1の実施例における電話卓を表すブロック図である。
【図２】操作部を表す図である。
【図３】タッチパネルを表す図である。
【図４】第1の実施例における電話システムを表すブロック図である。
【図５】第1の実施例における回線切替処理ルーチンを表すフローチャートである。
【図６】第２の実施例における電話卓を表すブロック図である。
【図７】第２の実施例における電話システムを表すブロック図である。
【図８】第２の実施例における回線切替処理ルーチンを表すフローチャートである。
【発明を実施するための形態】
【０００９】
以下、本発明に係る実施例について添付の図面を参照しつつ詳細に説明する。
＜第１の実施例＞
図１は本実施例による電話卓１００−１を表すブロック図である。図２は、電話卓１００−１の盤面を表す図である。図３は、操作パネル１０９を表す図である。以下、図１〜図３を参照しつつ電話卓１００−１について説明する。
【００１０】
電話卓１００−１は、右側電話機部１０１Ｒと、左側電話機部１０１Ｌと、右側ハンドセット１０２Ｒと、左側ハンドセット１０２Ｌと、右側指令生成部１０３Ｒと、左側指令生成部１０３Ｌと、選択信号生成部１０３Ｓと、ダイヤルキー部１０４と、ダイヤルモニター１０５と、回線断検知部１０６と、選択部１０７と、回線断告知部１０８と、操作パネル部１０９と、電源ＬＥＤ１１１と、スピーカ１１２と、を含む。電話卓１００−１は、電話回線２００Ｌ及び２００Ｒを介してＰＢＸ(構内交換機。図示せず)との間で発着信処理を行い、所望の通話先と呼接続して指令を発するためのデジタル多機能電話機の機能を２台分備えた操作卓である。
【００１１】
右側電話機部１０１Ｒは、発呼処理、着呼処理その他のデジタル多機能電話機の機能を有する電話機である。例えば、右側電話機部１０１Ｒは、ダイヤルキー部１０４からの電話番号信号に応じて右側電話回線２００Ｒを介して発呼信号を発信する発呼処理を行う。右側電話機部１０１Ｒは発呼処理により、図示せぬ電話交換機との間で通信し、右側電話回線２００Ｒを介した通話路を確立する。これにより、ユーザーは右側ハンドセット１０２Ｒを用いて通話できる。
【００１２】
また、右側電話機部１０１Ｒは、右側電話回線２００Ｒからの着呼信号の到来に応じてスピーカ１１２をして着信音を発せしめる着呼処理を行う。着信音に応じたユーザーが右側ハンドセット１０２Ｒをオフフックした場合に、右側電話機部１０１Ｒは右側電話回線２００Ｒを介した通話路を確立する。これにより、ユーザーは右側ハンドセット１０２Ｒを用いて通話できる。
【００１３】
また、右側電話機部１０１Ｒは、右側指令生成部１０３Ｒにより生成された各種の通話関連信号に応じて、通話の保留、着呼又は転送呼への応答、再呼（リダイヤル）などの通話処理を行う。
【００１４】
左側電話機部１０１Ｌは、右側電話機部１０１Ｒと同様のデジタル多機能電話機の機能を有する電話機である。例えば、左側電話機部１０１Ｌは、ダイヤルキー部１０４からの電話番号信号に応じて左側電話回線２００Ｌを介して発呼信号を発信する発呼処理を行う。左側電話機部１０１Ｌは発呼処理により、図示せぬ電話交換機との間で通信し、左側電話回線２００Ｌを介した通話路を確立する。これにより、ユーザーは左側ハンドセット１０２Ｌを用いて通話できる。
【００１５】
また、左側電話機部１０１Ｌは、左側電話回線２００Ｌからの着呼信号の到来に応じてスピーカ１１２をして着信音を発せしめる着呼処理を行う。着信音に応じたユーザーが左側ハンドセット１０２Ｌをオフフックした場合に、左側電話機部１０１Ｌは左側電話回線２００Ｌを介した通話路を確立する。これにより、ユーザーは左側ハンドセット１０２Ｌにより通話できる。
【００１６】
また、左側電話機部１０１Ｌは、左側指令生成部１０３Ｌにより生成された各種の通話関連信号に応じて、通話の保留、着呼又は転送呼への応答、再呼（リダイヤル）などの通話処理を行う。
【００１７】
右側ハンドセット１０２Ｒは、マイク及びスピーカを備えた受話器、受話器の受け皿、受話器のオン／オフフックを検知するフックスイッチなどの構成部材からなる、右側電話機部１０１Ｒ用のハンドセットである。右側ハンドセット１０２Ｒの受話器は、手動でオンフック／オフフックが可能である。通話時には、右側ハンドセット１０２Ｒの受話器に備えられたマイクがユーザーの発話音声を音声信号に変換し、これを右側電話機部１０１Ｒへ供給する。また、右側ハンドセット１０２Ｒの受話器に備えられたスピーカが右側電話機部１０１Ｒからの受話音声信号を受話音声に変換しこれを出力する。左側ハンドセット１０２Ｌは、右側ハンドセット１０２Ｒと同様の構成部材からなる、左側電話機部１０１Ｌ用のハンドセットである。
【００１８】
右側指令生成部１０３Ｒは、ユーザーからの各種の操作入力を受け入れる、いわゆるファンクションキーである。ここで、操作入力とは、例えば通話の保留、着呼又は転送呼への応答、再呼（リダイヤル）などの入力をいう。右側指令生成部１０３Ｒは、例えば図２に示される如き保留キー、応答キー、再呼キーなどのキー群を有し、ユーザーによるこれらのキーの押下に応じて、それぞれ保留信号、応答信号、再呼信号などの通話関連信号を生成し、これを右側電話機部１０１Ｒへ供給する。ただし、右側指令生成部１０３Ｒは、後述の選択部１０７からの入力有効信号の供給を受けている場合にのみ、ユーザーからの操作入力を受け入れて通話関連信号を生成する。
【００１９】
左側指令生成部１０３Ｌは、右側指令生成部１０３Ｒと同様の構成からなる。すなわち、左側指令生成部１０３Ｌは、ユーザーからの各種の操作入力を受け入れる、いわゆるファンクションキーである。左側指令生成部１０３Ｌは、例えば図２に示される如き保留キー、応答キー、再呼キーなどのキー群を有し、ユーザーによるこれらのキーの押下に応じて、それぞれ保留信号、応答信号、再呼信号などの通話関連信号を生成し、これを左側電話機部１０１Ｌへ供給する。ただし、左側指令生成部１０３Ｌは、後述の選択部１０７からの入力有効信号の供給を受けている場合にのみ、ユーザーからの操作入力を受け入れて通話関連信号を生成する。
【００２０】
選択信号生成部１０３Ｓは、右側選択信号生成部１０３ＳＲと、左側選択信号生成部１０３ＳＬと、からなる。右側指令生成部１０３Ｒは、例えば図２に示される如き「右」キーを備え、ユーザーによる「右」キーの押下に応じて右側指令生成部選択信号を生成し、これを選択部１０７へ供給する。左側指令生成部１０３Ｌは、例えば図２に示される如き「左」キーを備え、ユーザーによる「左」キーの押下に応じて左側指令生成部選択信号を生成し、これを選択部１０７へ供給する。
【００２１】
ダイヤルキー部１０４は、ユーザーからの電話番号入力を受け入れて電話番号信号を生成する、例えば図２に示される如き０〜９の各数字キー、＃キー、＊キーなどのキー群を有する。ダイヤルキー部１０４は、右側電話機部１０１Ｒと左側電話機部１０１Ｌとで共通に用いられ、選択部１０７によって有効とされた１の指令生成部（すなわち右側指令生成部１０３Ｒ又は左側指令生成部１０３Ｌのいずれか一方）に対応する電話機部（すなわち右側電話機部１０１Ｒ又は左側電話機部１０１Ｌのいずれか一方）へ電話番号信号を供給する。
【００２２】
ダイヤルモニター１０５は、ダイヤルキー部１０４により生成された電話番号信号が表す電話番号を表示する例えば図２に示される如き液晶パネルなどのディスプレイである。ダイヤルモニター１０５も右側電話機部１０１Ｒと左側電話機部１０１Ｌとで共通に用いられる。
【００２３】
回線断検知部１０６は、右側電話回線２００Ｒ及び左側電話回線２００Ｌの各々に回線断が生じたかを監視するものである。回線断検知部１０６は、右側電話回線２００Ｒに回線断が生じたことを検知した場合には右側回線断検出信号を生成してこれを選択部１０７へ供給し、左側電話回線２００Ｌに回線断が生じたことを検知した場合には左側回線断検出信号を生成してこれを選択部１０７へ供給する。
【００２４】
回線断検知部１０６は、例えば右側電話回線２００Ｒ及び左側電話回線２００Ｌの各々への電気信号の流入の有無に基づいて回線断を検知する。すなわち、ＯＳＩ参照モデルの第１層つまり物理層における検知である。詳細には、回線断検知部１０６は、電気信号の流入がある状態つまりリンクアップ状態であると判別した場合には回線断が生じていないと判定し、所定期間に亘って電気信号の流入がない状態つまりリンクダウン状態であると判別した場合には回線断が生じたと判定する。
【００２５】
また、回線断検知部１０６は、例えば監視パケットの到来の有無に基づいて回線断を検知することもできる。すなわち、ＯＳＩ参照モデルの第４層つまりトランスポート層における検知である。詳細には、回線断検知部１０６は、例えば図示せぬ電話交換機から右側電話回線２００Ｒを介して断続的に到来すべき監視パケットが所定期間に亘って到来しなかった場合に右側電話回線２００Ｒに回線断が生じたと判定する。また、回線断検知部１０６は、例えば電話交換機（図示せず）から左側電話回線２００Ｌを介して断続的に到来すべき監視パケットが所定期間に亘って到来しなかった場合に左側電話回線２００Ｌに回線断が生じたと判定する。
【００２６】
この監視パケットは、ＴＣＰパケット又はＵＤＰパケットに死活監視メッセージを含めて生成されたものである。電話交換機（図示せず）は、右側電話回線２００Ｒを介して送信すべき監視パケット（以下、右側監視パケットと称する）を所定周期で生成し、右側電話回線２００Ｒを介してこの右側監視パケットを電話卓１００−１へ送信する。また、電話交換機（図示せず）は、左側電話回線２００Ｌを介して送信すべき監視パケット（以下、左側監視パケットと称する）を所定周期で生成し、左側電話回線２００Ｌを介してこの左側監視パケットを電話卓１００−１へ送信する。
【００２７】
一方、電話卓１００−１の回線断検知部１０６は、右側電話回線２００Ｒを介して到来した右側監視パケットに応じて右側応答パケットを電話交換機（図示せず）へ送信し、左側電話回線２００Ｌを介して到来した左側監視パケットに応じて左側応答パケットを電話交換機（図示せず）へ送信する。そして、回線断検知部１０６は、右側監視パケットが所定期間に亘って到来しなかった場合に右側電話回線２００Ｒに回線断が生じたと判定し、左側監視パケットが所定期間に亘って到来しなかった場合に左側電話回線２００Ｌに回線断が生じたと判定する。
【００２８】
なお、回線断検知部１０６は、パケットに死活監視メッセージが含まれている場合にそのパケットが右側／左側監視パケットであると判別する。電話交換機側、電話卓側共にそのパケットが監視パケットであることを特定できれば良いので、死活監視メッセージの態様自体には特に制限は無く、例えば所定のバイナリ数値列データ（例えば１０１０１０１１など）を死活監視メッセージとしてパケットのペイロード部に含めるなどすれば良い。
【００２９】
なお、回線断検知部１０６は、ＯＳＩ参照モデルの第１層（物理層）における検知、第４層（トランスポート層）における検知のいずれか一方により回線断を検知するようにしても良いし、これらの両検知を併用して回線断を検知するようにしても良い。
【００３０】
選択部１０７は、右側選択信号生成部１０３ＳＲからの右側指令生成部選択信号を受けた場合には、右側指令生成部１０３Ｒへ入力有効信号を供給し、左側指令生成部１０３Ｌへ入力無効信号を供給する。一方、選択部１０７は、左側選択信号生成部１０３Ｌからの左側指令生成部選択信号を受けた場合には、左側指令生成部１０３Ｌへ入力有効信号を供給し、右側指令生成部１０３Ｒへ入力無効信号を供給する。
【００３１】
また、選択部１０７は、回線断検知部１０６からの右側回線断検出信号に応じて、右側指令生成部１０３Ｒへ入力無効信号を供給し、左側指令生成部１０３Ｌへ入力有効信号を供給する。すなわち、右側指令生成部１０３Ｒについての通話関連指令の受け入れを無効とし、左側指令生成部１０３Ｌについての通話関連指令の受け入れを有効とする。
【００３２】
一方、選択部１０７は、回線断検知部１０６からの左側回線断検出信号に応じて、左側指令生成部１０３Ｌへ入力無効信号を供給し、右側指令生成部１０３Ｒへ入力有効信号を供給する。すなわち、左側指令生成部１０３Ｌについての通話関連指令の受け入れを無効とし、右側指令生成部１０３Ｒについての通話関連指令の受け入れを有効とする。
【００３３】
回線断検知部１０６及び選択部１０７は、例えばＣＰＵなどの演算処理機能を有するマイクロプロセッサにより構成されるものである。
【００３４】
回線断告知部１０８は、回線断検知部１０６により生成された回線断検知信号に応じて、ユーザーに対して回線断を告知するものである。回線断告知部１０８は、例えば点灯及び点滅の少なくともいずれかによって回線断を告知する例えばランプや発光ダイオードなどの警告灯からなる。回線断告知部１０８は、右側電話回線２００Ｒの回線断を示すための例えば図２に示される如き右側警告灯１０８Ｒ及び左側電話回線２００Ｌの回線断を示すための例えば図２に示される如き左側警告灯１０８Ｌからなり、右側電話回線２００Ｒの回線断の場合には右側警告灯１０８Ｒを点灯又は点滅させ、左側電話回線２００Ｌの回線断の場合には左側警告灯１０８Ｌを点灯又は点滅させることにより、ユーザーに対して回線断を告知する。
【００３５】
なお、回線断告知部１０８は、例えば警告スピーカからなり、右側電話回線２００Ｒの回線断の場合にはその旨を、左側電話回線２００Ｌの回線断の場合にはその旨を、警告スピーカから、少なくとも１回、好ましくは周期的に複数回にわたって音声出力するようにしても良い。
【００３６】
操作パネル部１０９は、ユーザーからの宛先選択入力を受け入れて電話番号データを生成する例えば図２に示される如きいわゆるタッチパネルである。操作パネル部１０９は、右側電話機部１０１Ｒと左側電話機部１０１Ｌについて共通で用いられる。操作パネル部１０９は、図２に示される如き「宛先０１」〜「宛先４０」のボタン図形をタッチパネル上に表示している。「宛先０１」〜「宛先４０」は、いわゆる短縮ダイヤル機能により呼接続するためのものである。以下、「宛先０１」〜「宛先４０」を短縮ボタンと称する。
【００３７】
ユーザーは、操作パネル部１０９に備えられた例えばＲＯＭなどのメモリ（図示せず）に短縮ボタン毎に予め電話番号を登録しておく。ユーザーは、短縮ボタンへのタッチ（指で触れること）により、所望の宛先を選択する指令を操作パネル部１０９へ与えることができる。操作パネル部１０９は、ユーザーによる短縮ボタンの１へのタッチに応じて、当該１の短縮ボタンに対応する予め登録された電話番号を表す電話番号データを生成する。
【００３８】
また、操作パネル部１０９は、タッチパネル上に例えば「機能０１」〜「機能０５」、「検索」などのボタン図形も表示している。以下、これらのボタンを機能ボタンと称する。操作パネル部１０９は、ユーザーによる機能ボタンの１へのタッチに応じて、当該１の機能ボタンに対応する指令信号を生成する。例えば操作パネル部１０９は、「機能０１」ボタンへのユーザーによるタッチに応じて、機能０１として予め登録された例えば保留や再呼などの機能に応じた保留信号や再呼信号を生成する。
【００３９】
データ送信部１１０は、操作パネル部１０９により生成された電話番号データを、データ用回線３００を介して図示せぬ構内交換機へ送信する。このとき、データ送信部１１０は、選択部１０７によって選択されている指令生成部（右側指令生成部１０３Ｒ又は左側指令生成部１０３Ｌ）に対応する電話機部（右側電話機部１０１Ｒ又は左側電話機部１０１Ｌ）を識別するための例えば電話番号やＩＰアドレスなどの識別子も併せて送信する。データ送信部１１０は、この電話番号データ及び識別子を例えばパケットに含めて構内交換機へ送信する。電話番号データを受け付けた構内交換機は、その電話番号データが表す宛先と、その識別子が表す電話機部（右側電話機部１０１Ｒ又は左側電話機部１０１Ｌ）とを呼接続する処理を実行する。このように、ユーザーはタッチパネル上の短縮ボタンの１をタッチすることにより、当該１の短縮ボタンに対応する電話番号の宛先電話機と呼接続して通話することができる。
【００４０】
電源ＬＥＤ１１１は、電話卓１００−１の使用状態を表す例えば図２に示される如き発光ダイオードである。電源ＬＥＤ１１１は、例えば緑色及び赤色の２色のＬＥＤからなり、正常動作時には緑色を点灯し、異常発生時には赤色を点灯し、また、電源断時には消灯する。
【００４１】
スピーカ１１２は、必要に応じて右側ハンドセット１０２Ｒに備えられたスピーカ又は左側ハンドセット１０２Ｌに備えられたスピーカによる音声出力に代えて、これらの音声出力をすることができる例えば図２に示されるスピーカである。詳細には、右側指令生成部１０３Ｒに設けられている「スピーカ」キーを押下した場合には右側電話機部１０１Ｒについての音声が出力され、左側指令生成部１０３Ｒに設けられている「スピーカ」キーを押下した場合には左側電話機部１０１Ｌについての音声がスピーカ１１２から出力される。
【００４２】
図４は本実施例による電話通信システム１を表すブロック図である。電話通信システム１は例えば警察、消防、運輸などの業務における指令電話システムである。電話通信システム１には、電話卓１００−１のみが含まれていても良いし、例えば運輸業務における電話通信システムの場合、電話卓１００−１は顧客輸送用の指令電話卓として、電話卓１００−２は貨物輸送用の指令電話卓として、といったように目的別に２以上の電話卓（電話卓１００−１〜１００−ｎ（ｎは２以上の整数））が含まれていても良い。
【００４３】
電話卓１００−１〜１００−ｎの各々の右側電話回線２００Ｒ及び左側電話回線２００Ｌは、音声系ＩＰ（Internet Protocol）回線２１０に接続されている。また、電話卓１００−１〜１００−ｎの各々のデータ用回線３００は情報系ＩＰ回線３１０に接続されている。電話交換機４００は、いわゆるＰＢＸ(Private Branch eXchange：構内交換機)であり、音声系ＩＰ回線２１０及び情報系ＩＰ回線３１０の各々に接続しており、電話卓１００−１〜１００−ｎの各々との間で通信可能である。
【００４４】
電話交換機４００は、電話卓１００−１〜１００−ｎのうちの呼接続対象となるものについて通常の発着信制御により呼接続を確立して、当該呼接続を確立した電話卓の右側電話回線２００Ｒ又は左側電話回線２００Ｌを介した通話路を設定する。電話交換機４００は、例えば呼接続要求を含むパケットのヘッダに含まれる送信元ＩＰアドレスに基づいて右側電話回線２００Ｒ及び左側電話回線２００Ｌのいずれと呼接続を確立するのかを決定する。
【００４５】
電話交換機４００は、電話卓１００−１へ送信すべき右側監視パケットを所定周期で生成し、これを音声系ＩＰ回線２１０及び右側電話回線２００Ｒを介して電話卓１００−１へ送信している。また、電話交換機４００は、電話卓１００−１へ送信すべき左側監視パケットを所定周期で生成し、これを音声系ＩＰ回線２１０及び左側電話回線２００Ｌを介して電話卓１００−１へ送信している。このとき、電話交換機４００は、右側監視パケットのヘッダには右側電話機部１０１Ｒに対応するＩＰアドレスを送信先アドレスとして含め、左側監視パケットのヘッダには左側電話機部１０１Ｌに対応するＩＰアドレスを送信先アドレスとして含めて送信する。電話交換機４００は、電話卓１００−２〜１００−ｎの各々についても同様の処理を行う。
【００４６】
また、電話交換機４００は、右側又は左側監視パケットを受信した電話卓からの右側又は左側応答パケットを音声系ＩＰ回線２１０介して受信する。電話交換機４００は、右側又は左側応答パケットを受信できた場合には回線断が生じていないと判別し、いずれかの応答パケットを所定期間に亘って受信できなかった場合には、対応する電話回線に回線断が生じていると判別する。
【００４７】
図５は、電話卓１００−１による回線切替処理ルーチンを表すフローチャートである。以下、図５を参照しつつ、電話卓１００−１による回線切替処理について説明する。回線切替処理ルーチンは、回線断検知部１０６、選択部１０７及び回線断告知部１０８により実行される。回線断検知部１０６及び選択部１０７の機能は例えばＣＰＵなどの演算処理機能を有するマイクロプロセッサにより実現できるものであり、当該マイクロプロセッサが回線切替処理ルーチンを実行する。回線断告知部１０８は例えばランプやＬＥＤなどの警告灯である。
【００４８】
以下、前提として、選択部１０７は、左側選択信号生成部１０３ＳＬからの左側指令生成部選択信号を受けて、左側指令生成部１０３Ｌへ入力有効信号を供給すると共に右側指令生成部１０３Ｒへ入力無効信号を供給しているものとする。左側指令生成部１０３Ｌは、当該入力有効信号に応じてユーザーからの操作入力を有効としている。一方、右側指令生成部１０３Ｒは、当該入力無効信号に応じてユーザーからの操作入力を無効としている。つまり、ユーザーは現在、左側電話機部１０１Ｌによる通話を行うものである。
【００４９】
呼の発信は、ユーザーが操作パネル部１０９の短縮ボタンの１を押下することによりなされ、当該１の短縮ボタンに対応させて予め記憶しておいた相手側の電話機と通話できる。ユーザーは、左側指令生成部１０３Ｌの復旧キーを押すことにより、通話を終了できる。呼の着信動作があった場合には、左側指令生成部１０３Ｌの応答キーが備えるランプ（図示せず）が点灯し、ユーザーがこの応答キーを押下することにより通話を開始する。この場合も、ユーザーは、左側指令生成部１０３Ｌの復旧キーを押すことにより、通話を終了できる。
【００５０】
回線切替処理ルーチンは、例えば電話卓１００−１への電源投入又はユーザーによる回線断監視指示入力に応じて開始される。すなわち、回線断検知部１０６は、電源投入又は回線断監視指示入力の直後から右側電話回線２００Ｒ及び左側電話回線２００Ｌの各々について回線断が生じたかの監視を開始する（ステップＳ１０１）。回線断検知部１０６は、ＯＳＩ参照モデルの第１層（物理層）又は第４層（トランスポート層）での回線断の検知を行う。
【００５１】
回線断検知部１０６は、第１層（物理層）における検知として、電気信号の流入がある状態つまりリンクアップ状態であると判別した場合には回線断が生じていないと判定し、例えば１０秒などの所定期間に亘って電気信号の流入がない状態つまりリンクダウン状態であると判別した場合には回線断が生じたと判定する（ステップＳ１０１）。回線断検知部１０６は、右側電話回線２００Ｒ及び左側電話回線２００Ｌの各々について当該判定を行う。
【００５２】
回線断検知部１０６は、第１層（物理層）における検知に代えて、第４層（トランスポート層）における検知を行っても良い。この場合、回線断検知部１０６は、電話交換機から右側電話回線２００Ｒを介して断続的に到来すべき監視パケットが例えば１０秒などの所定期間に亘って到来しなかった場合に右側電話回線２００Ｒに回線断が生じたと判定する。また、回線断検知部１０６は、電話交換機４００から左側電話回線２００Ｌを介して断続的に到来すべき監視パケットが例えば１０秒などの所定期間に亘って到来しなかった場合に左側電話回線２００Ｌに回線断が生じたと判定する（ステップＳ１０１）。
【００５３】
回線断検知部１０６は、右側電話回線２００Ｒに回線断が生じたことを検知した場合には右側回線断検出信号を生成し、左側電話回線２００Ｌに回線断が生じたことを検知した場合には左側回線断検出信号を生成する（ステップＳ１０１）。ここで、左側電話回線２００Ｌに回線断が生じたものとし、回線断検知部１０６はその回線断を検知して左側回線断検出信号を生成する。
【００５４】
回線断告知部１０８は、回線断検知部１０６により生成された左側回線断検知信号に応じて左側警告灯１０８Ｌを点灯又は点滅させることにより、ユーザーに対して回線断を告知する（ステップＳ１０２）。ユーザーは左側警告灯１０８Ｌの点灯又は点滅により、左側電話回線２００Ｌに回線断が生じたことを知り、左側電話機部１０１Ｌによっては通話できないことがわかる。なお、回線断告知部１０８は、回線断検知部１０６によって右側回線断検知信号が生成された場合には、これに応じて右側警告灯１０８Ｒを点灯又は点滅させる。
【００５５】
選択部１０７は、回線断検知部１０６からの左側回線断検出信号に応じて、左側指令生成部１０３Ｌへ入力無効信号を供給し、右側指令生成部１０３Ｒへ入力有効信号を供給する。左側指令生成部１０３Ｌは、当該入力無効信号に応じてユーザーからの操作入力を無効とし、一方、右側指令生成部１０３Ｒは、当該入力有効信号に応じてユーザーからの操作入力を有効とする（ステップＳ１０３）。つまり、選択部１０７は、左側回線断検知信号を左側指令生成部選択信号に対して優先し、有効とする指令生成部を左側指令生成部１０３Ｌから右側指令生成部１０３Ｒへ切り替える。
【００５６】
以降、ユーザーは右側指令生成部１０３Ｒを使用し、右側電話機部１０１Ｒによる通話を行う。なお、選択部１０７は、回線断検知部１０６が右側回線断検出信号を生成した場合には、右側指令生成部１０３Ｒへ入力無効信号を供給し、左側指令生成部１０３Ｌへ入力有効信号を供給する。この場合、右側指令生成部１０３Ｒは、当該入力無効信号に応じてユーザーからの操作入力を無効とし、一方、左側指令生成部１０３Ｌは、当該入力有効信号に応じてユーザーからの操作入力を有効とする（ステップＳ１０３）。つまり、有効とする指令生成部を右側指令生成部１０３Ｒから左側指令生成部１０３Ｌへ切り替える。
【００５７】
ダイヤルキー部１０４については継続して使用可能であり、ダイヤルキー部１０４は、ユーザーによる電話番号入力に応じて生成した電話番号信号を左側電話機部１０１Ｌへ供給する。また、ダイヤルモニター１０５は、ダイヤルキー部１０４により生成された電話番号信号が表す電話番号を表示する。
【００５８】
上記した例は、ユーザーが左側電話機部１０１Ｌを使用しているときに左側電話回線２００Ｌに回線断が生じた場合の例であるが、ユーザーが右側電話機部１０１Ｒを使用しているときに右側電話回線２００Ｒに回線断が生じた場合も同様の処理がなされる。
【００５９】
上記したように本実施例による電話卓によれば、ユーザーが左右の電話機部のうちの一方を使用しているときに、その使用している電話機部が接続している電話回線に回線断が生じた場合に、当該電話回線に回線断が生じたことをランプの点灯などの告知手段によりユーザーに知らせ、更にその使用している電話機部に対応する指令生成部（例えばファンクションキー）への入力を無効にすると共に他方の電話機部に対応するファンクションキーへの入力を有効にする。
【００６０】
ユーザーは、ランプの点灯などの告知により、現在使用している電話機部が接続している電話回線に回線断が生じたこと知り、その電話機によっては通話できないことがわかる。更に、現在使用している電話機部に対応するファンクションキーへの入力が無効になっているので、継続してそのファンクションキーを使用し続けることもない。一方、他方の電話機部に対応するファンクションキーへの入力は有効になっているので、ユーザーは、その他方の電話機部により継続して通話することができる。このように、本実施例による電話卓によれば、２台分のデジタル多機能電話機の機能を冗長的に備えているので、回線断が生じた場合にも通話及び通話関連操作を正常に行うことができる。
＜第２の実施例＞
図６は、本実施例による電話卓１００−１を表すブロック図である。電話卓１００−１はスイッチ部１１３を更に含む。以下、第1の実施例と異なる部分について主に説明する。
【００６１】
選択部１０７は、回線断検知部１０６からの右側回線断検出信号に応じて左側指令入力有効信号を生成し、これをスイッチ部１１３へ与える。また、選択部１０７は、回線断検知部１０６からの左側回線断検出信号に応じて右側指令入力有効信号を生成し、これをスイッチ部１１３へ与える。つまり、選択部１０７は、回線断が生じた電話回線とは別の電話回線に接続している電話機に対応する指令生成部（右側指令生成部１０３Ｒ又は左側指令生成部１０３Ｌ）を有効とする旨の通知信号をスイッチ部１１３へ与える。
【００６２】
スイッチ部１１３は、右側電話回線２００Ｒ及び左側電話回線２００Ｌのいずれか一方を選択するものである。先ず、スイッチ部１１３は、電話卓１００−１の起動時に左側電話回線２００Ｌを選択する。その後、回線断があった場合、スイッチ部１１３は、選択部１０７によって有効とされた指令生成部（右側指令生成部１０３Ｒ及び左側指令生成部１０３Ｌのいずれか一方）に対応する電話機部が接続している電話回線（右側電話回線２００Ｒ及び左側電話回線２００Ｌのいずれか一方）を選択する。つまり、スイッチ部１１３は、選択部１０７からの右側指令入力有効信号に応じて右側電話回線２００Ｒを選択し、左側指令入力有効信号に応じて左側電話回線２００Ｌを選択する。スイッチ部１１３の機能は、例えばＣＰＵなど演算処理機能を有するマイクロプロセッサにより実現できる。
【００６３】
データ送信部１１０は、操作パネル部１０９により生成された電話番号データを、スイッチ部１１３により選択された電話回線（右側電話回線２００Ｒ及び左側電話回線２００Ｌのいずれか一方）を介して構内交換機４００へ送信する。このとき、データ送信部１１０は、選択部１０７によって選択されている指令生成部（右側指令生成部１０３Ｒ又は左側指令生成部１０３Ｌ）に対応する電話機部（右側電話機部１０１Ｒ又は左側電話機部１０１Ｌ）を識別するための例えば電話番号やＩＰアドレスなどの識別子も併せて送信する。データ送信部１１０は、この電話番号データ及び識別子を例えばパケットに含めて構内交換機へ送信する。
【００６４】
このように、本実施例による電話卓１００−１は、第1の実施例と異なり、操作パネル部１０９により生成された電話番号データを構内交換機４００へ送信するためのデータ用回線（第１の実施例でのデータ用回線３００）を使用せず、右側電話回線２００Ｒ及び左側電話回線２００Ｌを、音声信号／情報データの共通通信回線として利用するものである。
【００６５】
図7は、本実施例による電話システム２を表すブロック図である。電話システム２は、第1の実施例と異なり、情報系ＩＰ回線３１０（図４に表す）を使用せず、右側電話機部１０１Ｒ、左側電話機部１０１Ｌ、データ送信部１１０のいずれによる場合も、音声系ＩＰ回線２１０を介して呼接続処理を行う。なお、監視パケットの処理については第１の実施例と同様である。
【００６６】
図８は、第２の実施例における回線切替処理ルーチンを表すフローチャートである。以下、図８を参照しつつ、電話卓１００−１による回線切替処理について説明する。回線切替処理ルーチンは、回線断検知部１０６、選択部１０７、回線断告知部１０８及びスイッチ部１１３により実行される。回線断検知部１０６、選択部１０７及びスイッチ部１１３の機能は例えばＣＰＵなどの演算処理機能を有するマイクロプロセッサにより実現できるものであり、当該マイクロプロセッサが回線切替処理ルーチンを実行する。回線断告知部１０８は例えばランプやＬＥＤなどの警告灯である。なお、ステップＳ１０１〜Ｓ１０３までの各処理は第１の実施例と同じであるので、説明を省略する。
【００６７】
以下、前提として、スイッチ部１１３は、電話卓１００−１の起動時に左側電話回線２００Ｌを選択したものとする。この場合、データ送信部１１０は、操作パネル部１０９により生成された電話番号データを左側電話回線２００Ｌを介して構内交換機４００へ送信する。
【００６８】
第１の実施例と同様に左側電話回線２００Ｌに回線断が生じた場合、選択部１０７は、回線断検知部１０６からの左側回線断検出信号に応じて、左側指令生成部１０３Ｌへ入力無効信号を供給し、右側指令生成部１０３Ｒへ入力有効信号を供給する（ステップＳ１０３）。更に、選択部１０７は、回線断検知部１０６からの左側回線断検出信号に応じて右側指令入力有効信号を生成し、これをスイッチ部１１３へ与える。
【００６９】
スイッチ部１１３は、選択部１０７からの右側指令入力有効信号に応じて右側電話回線２００Ｒを選択する（ステップＳ１０４）。これ以降、データ送信部１１０は、操作パネル部１０９により生成された電話番号データを、スイッチ部１１３により選択された右側電話回線２００Ｒを介して送信する。
【００７０】
上記した例は、スイッチ部１１３が左側電話回線２００Ｌを選択しているときに左側電話回線２００Ｌに回線断が生じた場合の例であるが、スイッチ部１１３が右側電話回線２００Ｒを使用しているときに右側電話回線２００Ｒに回線断が生じた場合も同様の処理がなされる。
【００７１】
上記したように本実施例による電話卓によれば、先ず、タッチパネルによる呼発信を行うに際して情報系ＩＰ回線を使用しなくても良いという利点がある。更に、本実施例による電話卓は、左右の電話回線のうちの一方を選択するスイッチ機能を備え、回線断の発生に応じて当該回線断が発生してない側の電話回線を選択する。これにより、左右の電話回線のうちの一方の側に回線断が発生した場合にも、タッチパネルによる音声系ＩＰ回線を介した呼接続を継続して実行できる。
【００７２】
なお、第１及び第２の実施例は、電話卓が左右２つの電話機部を含む場合の例であるが、電話卓は３つ以上の電話機部を含んでいても良い。この場合も上記した実施例と同様の回線切替処理を行う。例えば、現在使用している電話機部が接続している電話回線に回線断が生じた場合には、その電話機部に対応するファンクションキーを無効にすると共に他の電話機部のうちの１に対応するファンクションキーを有効にする。例えば電話機部に優先順位を予め設定しておき、回線断が生じた場合にはこの優先順位に従って、入力を有効にする電話機部及び対応するファンクションキーを選択する。
【符号の説明】
【００７３】
１、２  電話システム
１００−１〜１００−ｎ  電話卓
１０１Ｒ  右側電話機部
１０１Ｌ  左側電話機部
１０２Ｒ  右側ハンドセット
１０２Ｌ  左側ハンドセット
１０３Ｒ  右側指令生成部
１０３Ｌ  左側指令生成部
１０３Ｓ  選択信号生成部
１０３ＳＲ  右側選択信号生成部
１０３ＳＬ  左側選択信号生成部
１０４  ダイヤルキー部
１０５  ダイヤルモニター
１０６  回線断検知部
１０７  選択部
１０８  回線断告知部
１０８Ｒ  右側警告灯
１０８Ｌ  左側警告灯
１０９  操作パネル部
１１０  データ送信部
１１１  電源ＬＥＤ
１１２  スピーカ
２００Ｒ  右側電話回線
２００Ｌ  左側電話回線
２１０  音声系ＩＰ回線
３００  データ用回線
３１０  情報系ＩＰ回線
４００  構内交換機
【図１】
2010206240.tif 000003
【図２】
2010206240.tif 000004
【図３】
2010206240.tif 000005
【図４】
2010206240.tif 000006
【図５】
2010206240.tif 000007
【図６】
2010206240.tif 000008
【図７】
2010206240.tif 000009
【図８】
2010206240.tif 000010